(57)【要約】【課題】踏板の左右方向に偏った荷重が作用した場合であっても、下階段部および上階段部の各々に１本ずつ配置された中空桁材の端部と折り返し部や壁面との接続箇所に損傷が生じ難い折返し階段を提供する。【解決手段】踏板６（７）の左右方向に偏った荷重が作用した際に中空桁材１０（１１）の両端部を結んだ仮想線Ｃ２（Ｃ４）の周りで中空桁材１０（１１）を回転させるように作用する回転力Ｍ２（Ｍ４）を、水平部１２の端部と壁面との接続部分および水平部１３の端部と壁面との接続部分の２箇所で受け支える構成とすることで、中空桁材１０における水平部１２の端部と壁面との接続部分および中空桁材１１における水平部１３の端部と壁面との接続部分を捩りや抉りの力から開放し、建築物の壁面自体が頑強でなくても、複数の踏板を１本の中空桁材に取り付ける中桁構造の階段を利用できるようにする。【選択図】図１
2009293263.tif 000002
【特許請求の範囲】
【請求項１】
建築物の上階と下階を連絡し且つ上階と下階の間に折り返し部を形成する床板を備えた折返し階段であって、
前記下階と前記折り返し部とを連絡する下階段部、および、前記折り返し部と前記上階とを連絡する上階段部の各々が、複数の踏板と、前記各踏板を支持する踏板受材と、前記各踏板受材を支持する１本の中空桁材とからなり、
前記中空桁材の各々は、前記折り返し部側の端部寄りの位置に水平部を有し、前記各水平部の端部が相互に間隔をおいて前記建築物の壁面に接続され、
前記各水平部の上面に、折り返し部を形成する床板が固定されていることを特徴とした折返し階段。
【請求項２】
前記各水平部の端部に当接する前記建築物の壁面に、前記建築物の壁面および其の床面に対して共に直交する一対の舌片状突起を有するサポートシューを固設し、
前記舌片状突起を前記水平部の端部に挿入して前記受梁材と前記中空桁材とを接続したことを特徴とする請求項１記載の折返し階段。
【請求項３】
前記サポートシューが受梁材を介して前記建築物の壁面に固設されていることを特徴とする請求項２記載の折返し階段。
【発明の詳細な説明】
【技術分野】
【０００１】
本発明は、上階と下階の間に折り返し部を形成する床板を備えて建築物の上階と下階を連絡する折返し階段の改良に関する。
【背景技術】
【０００２】
建築物の上階と下階を連絡する階段の途中に折り返し部を形成する床板を設置するための構造としては、トラス構造体を用いて床板を支持するようにした踊り場の構造が例えば特許文献１として公知である。
また、階段自体の構造としては、平行に配備された２本の桁材に踏板の両端部を固定して取り付けるようにした階段構造が特許文献２として公知である。
更に、複数の踏板を各踏板毎の踏板受材を介して１本の中空桁材に取り付けるようにした階段構造が特許文献３として提案されている。
【０００３】
しかし、特許文献１に開示されるような踊り場の構造と特許文献２あるいは特許文献３に開示されるような階段構造を併用して折返し階段を構築すると、折り返し部の直下にトラス構造体もしくは支柱等に相当する構造物を配置する必要があり、折り返し部の下のスペースの有効利用が制限され、特に、折返し階段を屋内に設置する場合にあっては、トラス構造体や支柱等の構造物が目障りとなって美観が損なわれるといった不都合が生じる。
【０００４】
このうち、特に、特許文献１に開示されるような踊り場の構造と特許文献２に開示されるような階段構造を併用して折返し階段を構築した場合では、折り返し部を挟んで其の上下に各々２セット、すなわち、都合４本の桁材が必要となり、部品点数が増大して施工が煩雑化し、建て付けのコストや作業所要時間が増長する不都合がある。
【０００５】
一方、特許文献１に開示されるような踊り場の構造と特許文献３に開示されるような階段構造を併用して折返し階段を構築する場合にあっては、必要とされる桁材の数が軽減されることから、相対的な部品点数の削減と施工の簡素化、および、建て付けコストの低減化と作業所要時間の短縮が或る程度は可能となるが、踏板受材を介して１本の中空桁材で踏板の中央部を支える構造であるため、踏板の左右方向に偏った荷重が作用すると中空桁材に強い捩り力が作用し、中空桁材の端部と折り返し部との接続箇所に損傷が生じ易いといった弊害が生じる。
無論、１本の中空桁材で踏板の中央部を支える構造において中空桁材の端部の接続箇所に損傷が生じ易いといった不都合は、折り返し部と中空桁材との接続に限ったものではなく、折り返し部のない階段において中空桁材の上端部と上階の床板とを接続する場合、あるいは、折り返し部のない階段において中空桁材の下端部と下階の床板とを接続する場合であっても同様に問題となるが、特に、中空桁材の端部と折り返し部もしくは壁面との接続箇所にあっては、必ずしも折り返し部や壁面の構造自体が頑強とは言えないこと、更には、折り返し部の規模が上階や下階の床の規模に比べて小さく十分な補強作業を行うのが難しいこと等が災いして接続箇所の損傷が重大な問題となる。
【０００６】
更に、折返し階段の具体的な構造として、傾斜部と水平部を有する２本のささら桁を平行に配備し、ささら桁の水平部の端部を壁面に固定した階段構造、および、間隔を詰めて踏板の中央部に寄せた左右のささら桁の下段側の端部を下階の床に固定した階段構造が特許文献４として提案されている。しかし、これらのものも、折り返し部の下のスペースの有効利用が可能となる点を別にすれば、本質的な構造に関しては前述した特許文献２記載のものと同様であり、平行に配備された２本の桁材に踏板の両端部を固定して取り付けているに過ぎない。
【０００７】
なお、平行に配備された２本の桁材の端部寄りの位置に水平部を設けて踊り場を設置する点に関しては特許文献２で開示されているが、特許文献２に開示される階段構造は、踊り場に作用する荷重を桁材の水平部を利用して鉛直方向に受け支えるものに過ぎず、１本の中空桁材を利用する構造のものとは違い、桁材に捩り力が作用するといった心配は全くないものである。
また、２本の桁材の端部寄りの位置に水平部を設けて踊り場を設置する点に関しては特許文献４でも開示されており、特許文献４に開示される階段構造、特に、左右の間隔を詰めて踏板の中央部に寄せたささら桁の下段側を下階の床に固定した階段構造は、左右のささら桁が踏板の中央部寄りの位置に配置されている点で、一見すると、複数の踏板を各踏板毎の踏板受材を介して１本の中空桁材で支えるようにした特許文献３の階段構造に類似する。
しかしながら、左右のささら桁の間隔を詰めた特許文献４記載の階段構造は、左右のささら桁の間で踏板を踏んだ場合には、前述した特許文献２に記載された階段構造と全く同様に踏板に作用する荷重が２本のささら桁によって均等に受け止められ、また、２本のささら桁よりも外側の位置で踏板を踏んだ場合にあっては、荷重の作用点に近い側に位置する一方のささら桁が支点となって上下方向の圧縮応力を受ける一方、荷重の作用点に遠い側に位置する他方のささら桁が踏板の跳ね上がりを拘束するかたちで上下方向の引張応力を発揮して踏板を支持するものに過ぎない。つまり、特許文献４記載の階段構造は、踏板のどのような箇所を踏んだ場合であっても、圧縮あるいは引張といった方向性の違いはあるにせよ、踏板に作用する荷重を桁材によって鉛直方向に受け支える点では前述の特許文献２で開示された階段における踊り場の周辺構造と同等であり、桁材であるささら桁に作用する捩り力については全く考慮する必要のないものである。
以上に述べたように、２本の桁材の水平部を利用して踊り場を設置するとした特許文献２記載の階段構造および特許文献４記載の階段構造の何れにあっても、桁材に作用する捩り力で生じる不都合については全く認識されておらず、また、特許文献１，２，３，４の何れにおいても、桁材に作用する捩り力に起因した不都合を解消するための技術手段について何ら示唆されていない。
【０００８】
【特許文献１】特開２００６−２８７８５号公報（段落０００６，図１）
【特許文献２】特開２００６−３４８４８３号公報（図１）
【特許文献３】特開２００５−３２０７７５号公報（図１）
【特許文献４】特開平１１−３０３２１６号公報（図２，図１０，図１１）
【発明の開示】
【発明が解決しようとする課題】
【０００９】
そこで、本発明の課題は、前記従来技術の不都合を改善し、折り返し部の直下にトラス構造体や支柱等の構造物を配置する必要がなく、部品点数の削減や施工の簡素化および建て付けコストの低減化や作業所要時間の短縮が可能であって、踏板の左右方向に偏った荷重が作用した場合であっても、下階段部および上階段部の各々に１本ずつ配置された中空桁材の端部と折り返し部や壁面との接続箇所に損傷が生じ難い折返し階段を提供することにある。
【課題を解決するための手段】
【００１０】
本発明は、建築物の上階と下階を連絡し且つ上階と下階の間に折り返し部を形成する床板を備えた折返し階段であり、前記課題を達成するため、特に、
前記下階と前記折り返し部とを連絡する下階段部、および、前記折り返し部と前記上階とを連絡する上階段部の各々が、複数の踏板と、前記各踏板を支持する踏板受材と、前記各踏板受材を支持する１本の中空桁材とからなり、
前記中空桁材の各々は、前記折り返し部側の端部寄りの位置に水平部を有し、前記各水平部の端部が相互に間隔をおいて前記建築物の壁面に接続され、
前記各水平部の上面に、折り返し部を形成する床板が固定されていることを特徴とした構成を有する。
【００１１】
以上の構成において、踏板の左右方向に偏った荷重が作用した場合、例えば、図７に示されるような折返し階段において下階段部４の中空桁材１０の鉛直上方位置から側方に離間した位置Ｐ１で人が踏板６を踏んだとすると、下階段部４の中空桁材１０に２つの回転力が作用することになる。
そのうちの１つは、下階段部４の中空桁材１０の水平部１２を除いた部分、つまり、下階段部４の中空桁材１０の傾斜部１４を該傾斜部１４の中心軸Ｃ１の周りで捻ろうとする回転力Ｍ１である。
また、下階段部４の中空桁材１０の傾斜部１４には下階段部４の中空桁材１０の水平部１２が一体的に接続しており、下階段部４の中空桁材１０の形状は、傾斜部１４と水平部１２とをあわせて全体として略「へ」の字型の剛体となっているので、下階段部４の中空桁材１０の両端部を結んだ仮想線Ｃ２の周りで下階段部４の中空桁材１０の全体を回転させようとする回転力Ｍ２も同時に発生することになる。
このうち、下階段部４の中空桁材１０の両端部を結んだ仮想線Ｃ２の周りで下階段部４の中空桁材１０の全体を回転させようとする回転力Ｍ２は、最終的に、下階段部４の中空桁材１０における傾斜部１４の端部と下階の床面４４との接続部分（４７）を支点として下階段部４の中空桁材１０の傾斜部１４を抉るようにして揺動させようとする力Ｆ１と、下階段部４の中空桁材１０における水平部１２の端部と建築物の壁面との接続部分（３０）を支点として下階段部４の中空桁材１０の水平部１２を抉るようにして揺動させようとする力Ｆ２として作用することになる。
下階段部４の中空桁材１０の水平部１２は建築物の壁面に接続され、同時に、上階段部５の中空桁材１１の水平部１３と共に、折り返し部２を形成する床板３に固定されているので、下階段部４の中空桁材１０の水平部１２を抉るようにして揺動させようとする力Ｆ２は、折り返し部２を形成する床板３と上階段部５の中空桁材１１の水平部１３とを介して、上階段部５の中空桁材１１における水平部１３の端部と建築物の壁面との接続部分（３０）にも伝達されることになる。
このように、結果として、下階段部４の中空桁材１０の水平部１２を抉るようにして揺動させようとする力Ｆ２は、下階段部４の中空桁材１０における水平部１２の端部と建築物の壁面との接続部分（３０）、および、上階段部５の中空桁材１１における水平部１３の端部と建築物の壁面との接続部分（３０）の２箇所で受け支えられることになるので、下階段部４の中空桁材１０の鉛直上方位置から側方に離間した位置Ｐ１で人が踏板６を踏んで下階段部４の踏板６の左右方向に偏った荷重が作用したような場合であっても、下階段部４の中空桁材１０における水平部１２の端部と建築物の壁面との接続部分（３０）を支点として下階段部４の中空桁材１０の水平部１２を抉るようにして揺動させようとする強い力が作用することはなくなる。
前記と同様に、上階段部５の中空桁材１１の鉛直上方位置から側方に離間した位置で人が踏板７を踏んで上階段部５の踏板７の左右方向に偏った荷重が作用したような場合には、上階段部５の中空桁材１１の傾斜部１５を該傾斜部１５の中心軸Ｃ３の周りで捻ろうとする回転力Ｍ３と、上階段部５の中空桁材１１の両端部を結んだ仮想線Ｃ４の周りで上階段部５の中空桁材１１の全体を回転させようとする回転力Ｍ４が発生する。このうち、上階段部５の中空桁材１１の両端部を結んだ仮想線Ｃ４の周りで上階段部５の中空桁材１１の全体を回転させようとする回転力Ｍ４は、最終的に、上階段部５の中空桁材１１における傾斜部１５の端部と上階の床面との接続部分（４８）を支点として上階段部５の中空桁材１１の傾斜部１５を抉るようにして揺動させようとする力Ｆ３と、上階段部５の中空桁材１１における水平部１３の端部と建築物の壁面との接続部分（３０）を支点として上階段部５の中空桁材１１の水平部１３を抉るようにして揺動させようとする力Ｆ４として作用することになるが、上階段部５の中空桁材１１の水平部１３は建築物の壁面に接続され、同時に、下階段部４の中空桁材１０の水平部１２と共に、折り返し部２を形成する床板３に固定されているので、上階段部５の中空桁材１１の水平部１３を抉るようにして揺動させようとする力Ｆ４は、折り返し部２を形成する床板３と下階段部４の中空桁材１０の水平部１２とを介して、下階段部４の中空桁材１０における水平部１２の端部と建築物の壁面との接続部分（３０）にも伝達されることになる。つまり、上階段部５の中空桁材１１の水平部１３を抉るようにして揺動させようとする力Ｆ４は、上階段部５の中空桁材１１における水平部１３の端部と建築物の壁面との接続部分（３０）、および、下階段部４の中空桁材１０における水平部１２の端部と建築物の壁面との接続部分（３０）の２箇所で受け支えられることになるので、上階段部５の中空桁材１１の鉛直上方位置から側方に離間した位置で人が踏板７を踏んで上階段部５の踏板７の左右方向に偏った荷重が作用したような場合であっても、上階段部５の中空桁材１１における水平部１３の端部と建築物の壁面との接続部分（３０）を支点として上階段部５の中空桁材１１の水平部１３を抉るようにして揺動させようとする強い力が作用することはなくなる。
また、下階段部４の中空桁材１０の水平部１２と上階段部５の中空桁材１１の水平部１３は折り返し部２を形成する床板３に固定されているので、建築物の壁面に対して下階段部４の中空桁材１０の水平部１２や上階段部５の中空桁材１１の水平部１３を其の中心軸の周りに捻るような強い力が作用することはない。
以上に述べたように、下階段部４の中空桁材１０における水平部１２の端部と建築物の壁面との接続部分（３０）を支点として下階段部４の中空桁材１０の水平部１２を抉るようにして揺動させようとする強い力がなくなること、上階段部５の中空桁材１１における水平部１３の端部と建築物の壁面との接続部分（３０）を支点として上階段部５の中空桁材１１の水平部１３を抉るようにして揺動させようとする強い力がなくなること、および、建築物の壁面に対して下階段部４の中空桁材１０の水平部１２や上階段部５の中空桁材１１の水平部１３を其の中心軸の周りに捻るような強い力が作用しなくなることにより、下階段部４の中空桁材１０における水平部１２の端部と建築物の壁面との接続部分（３０）および上階段部５の中空桁材１１における水平部１３の端部と建築物の壁面との接続部分（３０）の損傷が未然に防止される。
つまり、下階段部４の中空桁材１０における水平部１２の端部と建築物の壁面との接続部分（３０）および上階段部５の中空桁材１１における水平部１３の端部と建築物の壁面との接続部分（３０）は、上階段部５を構成する複数の踏板７と踏板受材９と１本の中空桁材１１、および、下階段部４を構成する複数の踏板６と踏板受材８と１本の中空桁材１０の荷重を受け支えればよく、捩りや抉りの力に耐える必要はないので、建築物の壁面自体が頑強ではなくても、複数の踏板６，７を各踏板毎の踏板受材８，９を介して１本の中空桁材１０，１１に取り付けるようにした階段構造（いわゆる中桁構造の階段）を利用して、折り返し部２を形成する床板３を備えた折返し階段を容易に構築することができ、部品点数の削減や施工の簡素化および建て付けのコストの低減化や作業所要時間の短縮化が容易に実現される。
また、折り返し部２を形成する床板３は、下階段部４の中空桁材１０における水平部１２と上階段部５の中空桁材１１における水平部１３によって支えられる構造であり、下階段部４や上階段部５の荷重を支える必要は全くなく、人の荷重を受ける本来の目的を別とすれば、専ら、下階段部４の中空桁材１０の水平部１２を抉るようにして揺動させようとする力Ｆ２を上階段部５の中空桁材１１の水平部１３に分散させたり上階段部５の中空桁材１１の水平部１３を抉るようにして揺動させようとする力Ｆ４を下階段部４の中空桁材１０の水平部１２に分散させたりするために利用されるものであるから、それ自体が下階段部４や上階段部５の接続手段および荷重受け手段として機能する構造のものとは相違し、耐荷重のための強度を確保する必要がないので軽量化やコストの軽減化が容易であり、また、トラス構造体や支柱等に相当する構造物を別途配置して支える必要がないことから、トラス構造体や支柱等の付加物によって美観が損なわれるといった不都合が解消されると共に折り返し部２の下のスペースの有効利用も実現される。
【００１２】
また、前記各水平部の端部に当接する前記建築物の壁面に、前記建築物の壁面および其の床面に対して共に直交する一対の舌片状突起を有するサポートシューを固設し、
前記舌片状突起を前記水平部の端部に挿入して前記建築物の壁面と前記中空桁材とを接続する構造としてもよい。
【００１３】
サポートシューの舌片状突起を下階段部や上階段部の中空桁材の水平部に挿入するかたちで各水平部の端部を建築物の壁面に接続することにより、中空桁材の接続作業が簡素化されると共に接続部の強度が向上する。また、中空桁材の外部に目障りな突起物が突出することもなくなるので美観が向上する。
【００１４】
サポートシューを利用する場合にあっては、更に、受梁材を介して建築物の壁面にサポートシューを固設する構造としてもよい。
【００１５】
建築物の壁面の強度が不十分な場合であっても下階段部や上階段部の中空桁材の水平部を壁面に接続することができるので折返し階段を屋内に設置する場合や後付けで設置する場合に適する。
【発明の効果】
【００１６】
本発明の折返し階段は、踏板の左右方向に偏った荷重が作用した際に中空桁材の両端部を結んだ仮想線の周りで中空桁材を回転させるように作用する回転力を、下階段部の中空桁材における水平部の端部と建築物の壁面との接続部分、および、上階段部の中空桁材における水平部の端部と建築物の壁面との接続部分の２箇所で受け支えるように構成したので、下階段部の中空桁材における水平部の端部と建築物の壁面との接続部分および上階段部の中空桁材における水平部の端部と建築物の壁面との接続部分は、上階段部を構成する複数の踏板と踏板受材と１本の中空桁材、および、下階段部を構成する複数の踏板と踏板受材と１本の中空桁材の荷重を受け支えればよく、捩りや抉りの力に耐える必要はないので、建築物の壁面自体が頑強ではなくても、複数の踏板を各踏板毎の踏板受材を介して１本の中空桁材に取り付けるようにした階段構造を適用して折り返し部となる床板を備えた折返し階段を容易に構築することができ、部品点数の削減や施工の簡素化および建て付けのコストの低減化や作業所要時間の短縮化を容易に実現することが可能となった。
また、折り返し部を形成する床板は、下階段部の中空桁材における水平部と上階段部の中空桁材における水平部によって支えられる構造であり、下階段部や上階段部の荷重を支える必要は全くなく、専ら、下階段部の中空桁材の水平部を抉るようにして揺動させようとする力を上階段部の中空桁材の水平部に分散させたり上階段部の中空桁材の水平部を抉るようにして揺動させようとする力を下階段部の中空桁材の水平部に分散させたりするために利用されるので、それ自体が下階段部や上階段部の接続手段および荷重受け手段として機能する構造のものとは相違し、耐荷重のための強度を確保する必要がないので軽量化やコストの軽減化が容易であり、また、トラス構造体や支柱等に相当する構造物を別途配置して支える必要がないことから、トラス構造体や支柱等の付加物によって美観が損なわれるといった不都合が解消されると共に折り返し部の下のスペースの有効利用も実現される。
【００１７】
また、各中空桁材における水平部の端部に当接する建築物の壁面に、建築物の壁面および其の床面に対して共に直交する一対の舌片状突起を有するサポートシューを固設し、舌片状突起を水平部の端部に挿入して建築物の壁面と中空桁材とを接続する構造とすることで、中空桁材の接続作業が簡素化されると共に接続部の強度が向上する。しかも、中空桁材の外部に目障りな突起物が突出することもなくなるので美観が向上する。
【００１８】
更に、受梁材を介して建築物の壁面にサポートシューを固設する構造とすれば、建築物の壁面の強度が不十分な場合であっても下階段部や上階段部の中空桁材の水平部を壁面に接続することができるので、折返し階段を屋内に設置する場合や後付けで設置する場合も容易に建て付け作業を行うことができる。
【発明を実施するための最良の形態】
【００１９】
次に、本発明を実施するための最良の形態について図面を参照して具体的に説明する。
【００２０】
図１は本発明を適用した一実施形態の折返し階段１の構成について簡略化して示した分解斜視図である。
【００２１】
この折返し階段１は、建築物の上階Ｕｓと下階Ｄｓの間に折り返し部２を備えた折返し階段であり、その主要部は、下階Ｄｓと折り返し部２とを連絡する下階段部４と、折り返し部２と上階Ｕｓとを連絡する上階段部５、および、下階段部４の中空桁材１０における水平部１２と上階段部５の中空桁材１１における水平部１３を跨ぐように設置されて折り返し部２を形成する床板３によって構成される。
【００２２】
このうち、下階段部４は、複数の踏板６と、各踏板６を支持する複数の踏板受材８と、各踏板受材８を支持する１本の中空桁材１０によって構成され、下階段部４の中空桁材１０は、折り返し部２側の端部寄りに位置する水平部１２と、下階段部４の傾斜に倣った傾斜角度を有する傾斜部１４とによって一体的に構成されている。
【００２３】
図２（ａ）は下階段部４の中空桁材１０における水平部１２と傾斜部１４との接合状態について示した平面図、図２（ｂ）は下階段部４の中空桁材１０における水平部１２と傾斜部１４との接合状態について示した左側面図である。
【００２４】
下階段部４の水平部１２と傾斜部１４は共に略矩形状の断面を有するアルミ押し出し成形の中空部材であり、各々の接合部を形成する突き合わせ面１２ａ，１４ａが図２（ｂ）に示されるようにして斜めに切断されており、突き合わせ面１２ａ，１４ａを突きあわせて水平部１２の姿勢を水平にした際に、傾斜部１４の傾斜角度が下階段部４の設計上の傾斜角度と一致するようになっている。
【００２５】
水平部１２の突き合わせ面１２ａと傾斜部１４の突き合わせ面１４ａとの接合は、図２（ａ）および図２（ｂ）に示されるように、水平部１２の内径と傾斜部１４の内径に合致する略矩形状の断面形状を備えて略「へ」の字型に一体成形されたスリーブ状の接続材１６と、水平部１２の壁面を外側から貫通して接続材１６のタップ穴に螺合する複数のボルト１８、および、傾斜部１４の壁面を外側から貫通して接続材１６のタップ穴に螺合する複数のボルト２０によってなされる。
【００２６】
下階段部４の踏板６は、左右方向に長い矩形の板状体である。各々の踏板６を支持する踏板受材８は、図２（ｂ）に示されるように、中空桁材１０の一部を構成する傾斜部１４の上面側に取り付けた状態で水平となる天面８ａを備えた不等辺四角形状の断面を有するアルミ押し出し成形の中空部材であり、その幅は傾斜部１４の幅と概ね等しい。
【００２７】
踏板６は、図２（ａ）に示されるように、その左右幅方向の略中央部で踏板受材８の天面８ａで支持され、ボルト２２および木ネジにより踏板受材８の天面８ａに固定され、踏板受材８は、その下面８ｂを傾斜部１４の上面で支持されて、ボルト２４によって傾斜部１４の上面側に固定されている。
【００２８】
なお、図１に示される符号２６は、不等辺四角形状の断面を有する中空部材からなる踏板受材８の両端部を塞ぐためのポリカーボネート製のカバー部材であり、踏板受材８の両端部にネジ固定するかたちで取り付けられる。
【００２９】
上階段部５も、前述した下階段部４と同様、図１に示されるように、複数の踏板７と、各踏板７を支持する複数の踏板受材９、および、各踏板受材９を支持する１本の中空桁材１１からなり、中空桁材１１は、折り返し部２側の端部寄りに位置する水平部１３と、上階段部５の傾斜に倣った傾斜角度を有する傾斜部１５とによって一体的に構成されている。
【００３０】
図３（ａ）は上階段部５の中空桁材１１における水平部１３と傾斜部１５との接合状態について示した左側面図、図３（ｂ）は上階段部５の中空桁材１１における水平部１３と傾斜部１５との接合状態について示した断面図である。
【００３１】
上階段部５の水平部１３と傾斜部１５は共に略矩形状の断面を有するアルミ押し出し成形の中空部材であり、各々の接合部を形成する突き合わせ面１３ａ，１５ａが図３（ａ）に示されるようにして斜めに切断されており、突き合わせ面１３ａ，１５ａを突きあわせて水平部１３の姿勢を水平にした際に、傾斜部１５の傾斜角度が上階段部５の設計上の傾斜角度と一致するようになっている。
【００３２】
水平部１３の突き合わせ面１３ａと傾斜部１５の突き合わせ面１５ａとの接合は、図３（ａ）および図３（ｂ）に示されるように、水平部１３の内径と傾斜部１５の内径に合致する略矩形状の断面形状を備えて略「へ」の字型に一体成形されたスリーブ状の接続材１７と、水平部１３の壁面を外側から貫通して接続材１７のタップ穴に螺合する複数のボルト１９、および、傾斜部１５の壁面を外側から貫通して接続材１７のタップ穴に螺合する複数のボルト２１によってなされる。
【００３３】
なお、前述した下階段部４側の中空桁材１０すなわち水平部１２と傾斜部１４の断面形状は共に図３（ｂ）に示した水平部１３の断面形状と同様であり、また、下階段部４において中空桁材１０の水平部１２と傾斜部１４とを接続する接続材１６の断面形状も、図３（ｂ）に示した接続材１７の断面形状と同様である。
【００３４】
上階段部５の踏板７は、前述した下階段部４の踏板６と同様、左右方向に長い矩形の板状体である。各々の踏板７を支持する踏板受材９は、図３（ａ）に示されるように、中空桁材１１の一部を構成する傾斜部１５の上面側に取り付けた状態で水平となる天面９ａを備えた不等辺四角形状の断面を有するアルミ押し出し成形の中空部材であり、その幅は傾斜部１５の幅と概ね等しい。
【００３５】
踏板７は其の左右幅方向の略中央部で踏板受材９の天面９ａで支持され、ボルト２３および木ネジにより踏板受材９の天面９ａに固定され、踏板受材９は、その下面９ｂを傾斜部１５の上面で支持されて、ボルト２５によって傾斜部１５の上面側に固定され、左右の開口部をポリカーボネート製のカバー部材２７で塞がれている。
【００３６】
以上に述べた通り、下階段部４の中空桁材１０が傾斜部１４の上端部の側に水平部１２を備えるのに対し、上階段部５の中空桁材１１が傾斜部１５の下端部の側に水平部１３を備えることを別にすれば、下階段部４の構造と上階段部５の構造は実質的に同等である。
【００３７】
そして、下階段部４の中空桁材１０における水平部１２の先端部、および、上階段部５の中空桁材１１における水平部１３の先端部は、図１に示されるように、建築物の壁面内に固設された構造材２８，２８に水平に取り付けられた受梁材２９と、左右方向に相互に間隔をおいて受梁材２９に取り付けられた一対のサポートシュー３０，３０とを介して、建築物の壁面に接続されている。
【００３８】
より具体的には、受梁材２９は、図２（ａ）および図２（ｂ）に示されるように略矩形状の断面を有するアルミ押し出し成形の中空部材であり、構造材２８，２８と接続する取付金具３１，３１、および、取付金具３１，３１に受梁材２９を固定するためのボルト３２，３２を介して構造材２８，２８に取り付けられている。また、サポートシュー３０，３０の各々は、図２（ａ）および図２（ｂ）に示されるように、建築物の壁面および其の床面に対して共に直交する一対の舌片状突起３３，３３と、舌片状突起３３，３３の基部を接続するベース部３４とによって一体に構成され、ベース部３４を貫通するボルト３５，３５によって、相互間に間隔をおいた状態で受梁材２９の表面に固定されている。
【００３９】
図１に示される例のように、構造材２８，２８の間の離間距離が下階段部４の中空桁材１０と上階段部５の中空桁材１１との間の水平方向の離間距離に一致しないような状況下にあっては、構造材２８，２８の間に受梁材２９を掛け渡し、この受梁材２９を利用してサポートシュー３０，３０の設置間隔を中空桁材１０と中空桁材１１の水平方向の離間距離に合わせる必要があるが、サポートシュー３０，３０のベース部３４，３４を建築物の壁面に直に取り付けられるような状況下、例えば、構造材２８，２８の間の離間距離と中空桁材１０，１１の水平方向の離間距離とが一致している、或いは壁面自体が十分な強度を有しているような状況下にあっては、必ずしも受梁材２９を配置する必要はなく、サポートシュー３０，３０を構造材２８，２８或いは壁面に直に取り付けてもよい。
【００４０】
この実施形態の場合、構造材２８，２８の間の離間距離と中空桁材１０，１１の水平方向の離間距離とが一致しないので、受梁材２９を用いずにサポートシュー３０，３０を壁面に取り付けようとすると、少なくとも一方のサポートシュー３０を構造材２８の存在しない箇所で壁面に取り付けなければならず、その取付強度が著しく低下するが、図１のように構造材２８，２８の間に掛け渡された受梁材２９を介してサポートシュー３０，３０を壁面に取り付けることで、２つのサポートシュー３０，３０の取付強度を共に確保することが可能となり、特に、折返し階段を屋内に設置する場合や後付けで設置する場合に好適である。
【００４１】
中空桁材１０における水平部１２の先端部とサポートシュー３０との接続状態は図２（ａ）および図２（ｂ）に示す通りであり、略矩形状の断面を有する水平部１２の左右の側壁部分の内側でサポートシュー３０の舌片状突起３３，３３を挟み込むようにして、サポートシュー３０を水平部１２の先端部に内嵌し、水平部１２の側壁を外側から貫通するボルト３６によって水平部１２をサポートシュー３０に固定するようにしている。
【００４２】
サポートシュー３０を水平部１２の先端に挿入し、このサポートシュー３０を介して受梁材２９に中空桁材１０の水平部１２を接続する構造とすることで、壁面に対する中空桁材１０の接続作業が簡素化されると共に、接続部の強度自体も向上する。
【００４３】
また、中空桁材１０の外部に取付金具等を始めとする目障りな突起物が突出することもなくなるので、階段構造全体としての美観も向上する。
【００４４】
上階段部５の中空桁材１１における水平部１３の先端部と他のサポートシュー３０との接続状態についても、前述した下階段部４の中空桁材１０における水平部１２の場合と同様である。
【００４５】
そして、折り返し部２を形成する床板３は、図１に示されるように、下階段部４の中空桁材１０における水平部１２の上面と上階段部５の中空桁材１１における水平部１３の上面を跨ぐようにして配置される。
【００４６】
下階段部４の中空桁材１０における水平部１２と床板３との接合状態は図２（ａ）および図２（ｂ）に示す通りであり、床板３は、水平部１２の上面の左右に張り出すようにして水平部１２上に複数のボルト３７で固定された矩形板状体のブラケット３８、および、ブラケット３８の両側を下から上に貫通する複数の木ネジ３９を介して水平部１２の上面に完全に固定されている。
【００４７】
更に、この実施形態においては、図２（ｂ）に示されるように、中空桁材１０における傾斜部１４の最上段に取り付けられた踏板受材８が水平部１２と共に床板３を支える構成となっており、この踏板受材８の天面８ａを下から上に貫通する木ネジ４０によって踏板受材８と床板３とが固定されるので、水平部１２と床板３との間の接合強度および水平部１２と傾斜部１４との間の接合強度が一層強固なものとなっており、特に、床板３の一部が補強部材として機能することから、水平部１２と傾斜部１４との間の接合部に作用する捩りや曲げに対して十分な耐性を発揮する。
【００４８】
これと同様、上階段部５の中空桁材１１における水平部１３と床板３との接続も、図３（ｂ）に示されるように、水平部１３の上面の左右に張り出すようにして水平部１３上に複数のボルト４１で固定された矩形板状体のブラケット４２、および、ブラケット４２の両側を下から上に貫通する複数の木ネジ４３によって行なわれ、水平部１３の上面に床板３が完全に固定されるようになっている。
【００４９】
図４は下階段部４の中空桁材１０における傾斜部１４と下階Ｄｓの床面４４との接続状態について示した左側面図、また、図５は上階段部５の中空桁材１１における傾斜部１５と上階Ｕｓ側の床面４５を支える水平方向の構造材４６との接続状態について示した左側面図である。
【００５０】
下階段部４の中空桁材１０における傾斜部１４の下端部は、図４に示されるように、下階Ｄｓの床面４４と平行になるようにして斜めに切断され、前述したサポートシュー３０と同等の構成を有する床面用のサーポートシュー４７と、傾斜部１４の下端部をサーポートシュー４７に固定するためのボルト４９，４９、および、サーポートシュー４７を床面４４に固定するためのボルト５０，５０を介して、下階Ｄｓの床面４４に固定されている。傾斜部１４の外部に取付金具等を始めとする目障りな突起物を設ける必要がないので、階段構造全体としての美観が向上する。
【００５１】
これと同様、上階段部５の中空桁材１１における傾斜部１５の上端部も、図５に示されるように、上階Ｕｓ側の床面４５を支える構造材４６の手前側の面４６ａと平行になるようにして斜めに切断され、前述したサポートシュー３０，４７と同等の構成を有する構造材用のサーポートシュー４８、および、傾斜部１５の上端部を構造材４６に固定するためのボルト５１，５１、ならびに、サーポートシュー４８を構造材４６に固定するためのボルト５２，５２を介して上階Ｕｓの床面４５を支える構造材４６に固定されている。
【００５２】
そして、更に、この実施形態においては、踏板受材８を介して其の左右幅方向の略中央部を１本の中空桁材１０の傾斜部１４で支えられた各踏板６の撓みを防止するため、図１に示されるように、高さ方向に隣り合う踏板６，６の間、および、高さ方向で折り返し部２の床板３に隣り合う踏板６と床板３との間が、各踏板６の左右幅方向の両端に配置された連結材５３によって相互に連結されている。
【００５３】
連結材５３の取付状態は図４に示される通りであり、具体的には、高さ方向に隣り合う踏板６，６のうち、相対的に上段側に位置する踏板６において階段の上り方向の手前側（図４中で右）に位置する左右幅方向の両端部と、相対的に下段側に位置する踏板６において階段の上り方向の前方側（図４中で左）に位置する左右幅方向の両端部とが、連結材５３，５３によって相互に連結されるようになっている。
【００５４】
図６（ａ）は階段の上り方向の手前側から連結材５３の外形を示した正面図、図６（ｂ）は其の右側面図、また、図６（ｃ）は其の平面図である。
【００５５】
連結材５３は、図６（ａ）および図６（ｂ）に示されるように、略Ｔ字型の断面形状を有する桿状の本体部５４と、本体部５４の上端部から本体部５４の長手方向に直交する向きで手前側に延出する上部取付片５５と、本体部５４の下端部から下方に向けて延出する下部取付片５６をアルミダイキャスト等で成形した一体成形品である。そして、上部取付片５５には、図６（ｃ）に示されるように、略Ｔ字型の断面を有する本体部５４の投影形状における２つのコーナー部分に相当する中央部の左右両側の箇所に、下面側に座ぐりを備えたネジ穴５７，５７が穿設される一方、下部取付片５６の中央部の左右両側には、その背面側に座ぐりを備えた２つのネジ穴５８，５８が図６（ａ）に示されるようにして穿設されている。
【００５６】
この連結材５３は、図４に示されるように、上部取付片５５の延出方向を階段の上り方向の前方（図４中で左）に向けるようにして、高さ方向に隣り合う踏板６，６のうち相対的に上段側に位置する踏板６の下面側における上り方向の手前側（図４中で右）の端部に上部取付片５５の上面を当接させた状態で、ネジ穴５７，５７を下から上に貫通する木ネジ５９，５９によって相対的に上段側の踏板６の左右両側に固定されると共に、相対的に下段側に位置する踏板６における上り方向の前方側（図４中で左）の縁部に下部取付片５６の手前側の面を当接させた状態で、ネジ穴５８，５８を背面側から手前に貫通する木ネジ６０，６０によって相対的に下段側の踏板６の左右両側に固定される。
【００５７】
また、高さ方向に隣り合う踏板６，６のうち相対的に上段側に位置する踏板６の下面側における上り方向の手前側（図４中で右）の端部、より厳密には、連結材５３における上部取付片５５の取付位置よりも更に手前側の端部と、相対的に下段側に位置する踏板６の上面側における上り方向の前方側（図４中で左）の端部の各々には、図４に示されるように、踏板６の左右幅方向に延びる角溝６１，６２が踏板６の左右両端部に僅かに非加工部を残して刻設され、これらの角溝６１，６２および各踏板６，6における左右両端部の非加工部を利用して、矩形状の蹴込板６３が嵌め込まれている。
【００５８】
蹴込板６３としては合板等が利用されるが、建築物の間取り、特に、窓の配置や照明機器等の設置状況等によっては、光の有効利用を図るために、アクリル板等からなる透明あるいは半透明の板材を利用して蹴込板６３を構成する場合もある。
【００５９】
図４では高さ方向に隣り合う踏板６，６の関係についてのみ示しているが、高さ方向で折り返し部２の床板３に隣り合う踏板６と床板３との関係も此れと同様である。
【００６０】
つまり、高さ方向で床板３に隣り合う踏板６と床板３との関係にあっては、図２（ｂ）に示されるように、連結材５３は、上部取付片５５の突出方向を階段の上り方向の前方（図２中で左）に向けるようにして、相対的に上段側に位置する床板３の下面側における上り方向の手前側（図２中で右）の端部に上部取付片５５の上面を当接させた状態で、上部取付片５５の部分を床板３に固定されると共に、相対的に下段側に位置する踏板６における上り方向の前方側（図２中で左）の縁部に下部取付片５６の手前側の面を当接させた状態で、相対的に下部取付片５６の部分を下段側の踏板６の左右両側に固定されている。
【００６１】
また、上階段部５にあっても、前記と同様、踏板受材９を介して其の左右幅方向の略中央部を１本の中空桁材１１の傾斜部１５で支えられた各踏板７の撓みを防止するため、図１に示されるように、高さ方向に隣り合う踏板７，７の間、および、高さ方向で折り返し部２の床板３に隣り合う踏板７と床板３との間が、各踏板７の左右幅方向の両端に配置された連結材６４によって相互に連結されている。
【００６２】
高さ方向に隣り合う踏板７，７の間での連結材６４の接続状態や蹴込板６５の取付状態に関しては、下階段部４における連結材５３や蹴込板６３の場合と全く同様である。
【００６３】
そして、高さ方向で床板３に隣り合う踏板７と床板３との関係にあっては、図３（ａ）に示されるように、連結材６４は、上部取付片６６の延出方向を階段の上り方向の前方（図３（ａ）中で右）に向けるようにして、相対的に上段側に位置する踏板７の下面側における上り方向の手前側（図３（ａ）中で左）の端部に上部取付片６６の上面を当接させた状態で、上部取付片６６の部分を踏板７に固定されると共に、相対的に下段側に位置する床板３における上り方向の前方側（図３（ａ）中で右）の縁部に下部取付片６７の手前側の面を当接させた状態で、下部取付片６７の部分を相対的に下段側の床板３に固定されている。
【００６４】
図７は折返し階段１の構成要素のうち下階段部４の中空桁材１０，踏板受材８，踏板６、および、上階段部５の中空桁材１１，踏板受材９，踏板７、ならびに、折り返し部２を形成する床板３を取り出して全体的な接続状態を示した斜視図、また、図８は折返し階段１の構成要素のうち下階段部４の踏板６，連結材５３，蹴込板６３、および、上階段部５の踏板７，連結材６４，蹴込板６５、ならびに、折り返し部２を形成する床板３を取り出して全体的な接続状態を示した斜視図である。
【００６５】
ここで、下階段部４の踏板６の左右方向に偏った荷重が作用した場合、例えば、中空桁材１０の鉛直上方位置から側方に離間した位置で人が踏板６を踏んだ場合の外力の作用について図７を参照して説明する。
【００６６】
仮に、中空桁材１０の鉛直上方位置から右側に離間した図７中の矢印Ｐ１の位置に人の歩行による荷重が作用したとすると、下階段部４の中空桁材１０には２つの回転力が作用する。
【００６７】
そのうちの１つは、中空桁材１０の傾斜部１４を傾斜部１４の中心軸Ｃ１の周りで捻ろうとする回転力Ｍ１である。
【００６８】
また、下階段部４の中空桁材１０の傾斜部１４には下階段部４の中空桁材１０の水平部１２が一体的に接続しており、下階段部４の中空桁材１０の形状は、傾斜部１４と水平部１２とをあわせて全体として略「へ」の字型の剛体となっているので、下階段部４の中空桁材１０の両端部を結んだ仮想線Ｃ２の周りで下階段部４の中空桁材１０を全体的に回転させようとする回転力Ｍ２も同時に発生することになる。
【００６９】
このうち、下階段部４の中空桁材１０の両端部を結んだ仮想線Ｃ２の周りで中空桁材１０を全体的に回転させようとする回転力Ｍ２は、最終的に、下階段部４の中空桁材１０における傾斜部１４の下端部と下階Ｄｓの床面４４との接続部分であるサポートシュー４７の位置を支点として下階段部４の中空桁材１０の傾斜部１４を図７中で右側に向けて抉るようにして揺動させようとする力Ｆ１と、下階段部４の中空桁材１０における水平部１２の端部と建築物の壁面との接続部分である図７中で手前側のサポートシュー３０の位置を支点として下階段部４の中空桁材１０の水平部１２を図７中で右側に向けて抉るようにして揺動させようとする力Ｆ２として作用することになる。
【００７０】
しかし、下階段部４の中空桁材１０の水平部１２は図７中で手前側のサポートシュー３０と受梁材２９を介して建築物の壁面に接続され、同時に、上階段部５の中空桁材１１の水平部１３と共に折り返し部２を形成する床板３に固定されているので、下階段部４の中空桁材１０の水平部１２を抉るようにして揺動させようとする力Ｆ２は、更に、折り返し部２を形成する床板３と上階段部５の中空桁材１１の水平部１３とを介して、上階段部５の中空桁材１１における水平部１３の端部と建築物の壁面との接続部分である他方のサポートシュー３０にも伝達されることになる。
【００７１】
このように、下階段部４の中空桁材１０の水平部１２を抉るようにして揺動させようとする力Ｆ２が、下階段部４の中空桁材１０における水平部１２の端部と建築物の壁面との接続部分である図７中で手前側のサポートシュー３０、および、上階段部５の中空桁材１１における水平部１３の端部と建築物の壁面との接続部分である他方のサポートシュー３０により２箇所で受け支えられることになるので、下階段部４の中空桁材１０の鉛直上方位置から側方に離間した位置、例えば、図７中の矢印Ｐ１の位置で人が踏板を踏んで下階段部４の踏板６の左右方向に偏った荷重が作用したような場合であっても、下階段部４の中空桁材１０における水平部１２の端部と建築物の壁面との接続部分つまり図７中で手前側のサポートシュー３０を支点として下階段部４の中空桁材１０の水平部１２を抉るようにして揺動させようとする強い力が作用することはなくなる。
【００７２】
中空桁材１０の鉛直上方位置から左側に離間した位置で踏板６に荷重が作用した場合では、Ｍ１，Ｍ２，Ｆ１，Ｆ２の方向性は逆となるが、下階段部４の中空桁材１０の水平部１２を抉るようにして揺動させようとする力Ｆ２が床板３と上階段部５の中空桁材１１の水平部１３とを介して他方のサポートシュー３０に伝達され、図７中で手前側のサポートシュー３０と他方のサポートシュー３０の２箇所で此の力が分散され、図７中で手前側のサポートシュー３０を支点として下階段部４の中空桁材１０の水平部１２を抉るようにして揺動させようとする強い力が作用しなくなる点に関しては前記と同様である。
【００７３】
一方、上階段部５の踏板７の左右方向に偏った荷重が作用した場合、つまり、中空桁材１１の鉛直上方位置から側方に離間した位置で人が踏板７を踏んだ場合には、上階段部５の中空桁材１１の傾斜部１５を傾斜部１５の中心軸Ｃ３の周りで捻ろうとする回転力Ｍ３と、上階段部５の中空桁材１１の両端部を結んだ仮想線Ｃ４の周りで上階段部５の中空桁材１１を全体的に回転させようとする回転力Ｍ４が発生する。このうち、上階段部５の中空桁材１１の両端部を結んだ仮想線Ｃ４の周りで上階段部５の中空桁材１１を全体的に回転させようとする回転力Ｍ４は、最終的に、上階段部５の中空桁材１１における傾斜部１５の上端部と上階Ｕｓの構造材４６（図５参照）との接続部分であるサポートシュー４８の位置を支点として上階段部５の中空桁材１１の傾斜部１５を図７中で左右方向に向けて抉るようにして揺動させようとする力Ｆ３と、上階段部５の中空桁材１１における水平部１３の端部と建築物の壁面との接続部分である図７中で後方側のサポートシュー３０の位置を支点として上階段部５の中空桁材１１の水平部１３を図７中で左右方向に向けて抉るようにして揺動させようとする力Ｆ４として作用することになるが、上階段部５の中空桁材１１の水平部１３は図７中で後方側のサポートシュー３０と受梁材２９を介して建築物の壁面に接続され、同時に、下階段部４の中空桁材１０の水平部１２と共に折り返し部２を形成する床板３に固定されているので、上階段部５の中空桁材１１の水平部１３を抉るようにして揺動させようとする力Ｆ４は、折り返し部２を形成する床板３と下階段部４の中空桁材１０の水平部１２とを介して、下階段部４の中空桁材１０における水平部１２の端部と建築物の壁面との接続部分である図７中で手前側のサポートシュー３０にも伝達されることになる。つまり、上階段部５の中空桁材１１の水平部１３を抉るようにして揺動させようとする力Ｆ４は、上階段部５の中空桁材１１における水平部１３の端部と建築物の壁面との接続部分である図７中で後方側のサポートシュー３０、および、下階段部４の中空桁材１０における水平部１２の端部と建築物の壁面との接続部分である図７中で手前側のサポートシュー３０により２箇所で受け支えられることになるので、上階段部５の中空桁材１１の鉛直上方位置から側方に離間した位置で人が踏板７を踏んで上階段部５の踏板７の左右方向に偏った荷重が作用したような場合であっても、上階段部５の中空桁材１１における水平部１３の端部と建築物の壁面との接続部分つまり図７中で後方側のサポートシュー３０を支点として上階段部５の中空桁材１１の水平部１３を抉るようにして揺動させようとする強い力が作用することはなくなる。
【００７４】
更に、下階段部４の中空桁材１０の水平部１２と上階段部５の中空桁材１１の水平部１３は折り返し部２を形成する床板３に完全に固定されているので、建築物の壁面に対して下階段部４の中空桁材１０の水平部１２を支える図７中で手前側のサポートシュー３０や上階段部５の中空桁材１１の水平部１３を支える図７中で後方側のサポートシュー３０それ自体の周りに捻るような強い力が作用するといったこともない。
【００７５】
このようにして、下階段部４の中空桁材１０における水平部１２の端部と建築物の壁面との接続部分を支点として下階段部４の中空桁材１０の水平部１２を抉るようにして揺動させようとする強い力がなくなること、および、上階段部５の中空桁材１１における水平部１３の端部と建築物の壁面との接続部分を支点として上階段部５の中空桁材１１の水平部１３を抉るようにして揺動させようとする強い力がなくなること、更には、建築物の壁面に対して下階段部４の中空桁材１０の水平部１２や上階段部５の中空桁材１１の水平部１３を其の中心軸の周りに捻るような強い力が作用しなくなることにより、下階段部４の中空桁材１０における水平部１２の端部と建築物の壁面との接続部分および上階段部５の中空桁材１１における水平部１３の端部と建築物の壁面との接続部分、より具体的には、図７中で手前側に位置するサポートシュー３０や後方側に位置するサポートシュー３０および其の周辺箇所の損傷が未然に防止される。
【００７６】
従って、下階段部４の中空桁材１０における水平部１２の端部と建築物の壁面との接続部分および上階段部５の中空桁材１１における水平部１３の端部と建築物の壁面との接続部分は、上階段部５を構成する複数の踏板７と踏板受材９と１本の中空桁材１１、および、下階段部４を構成する複数の踏板６と踏板受材８と１本の中空桁材１０の荷重のみを鉛直方向の荷重として受け支えるだけでよく、捩りや抉りの力に耐える必要がないので、建築物の壁面自体が頑強ではなくても、複数の踏板を各踏板毎の踏板受材を介して１本の中空桁材に取り付けるようにした階段構造（いわゆる中桁構造の階段）を利用して、折り返し部２を形成する床板３を備えた折返し階段を容易に構築することができるようになり、部品点数の削減や施工の簡素化および建て付けのコストの低減化や作業所要時間の短縮化が容易に実現されることになる。
【００７７】
しかも、折り返し部２を形成する床板３は、下階段部４の中空桁材１０における水平部１２と上階段部５の中空桁材１１における水平部１３によって支えられる構造であって、下階段部４や上階段部５の荷重を支える必要は全くなく、人の荷重を受ける本来の目的を除けば、専ら、下階段部４の中空桁材１０の水平部１２を抉るようにして揺動させようとする力Ｆ２を上階段部５の中空桁材１１の水平部１３に分散させたり上階段部５の中空桁材１１の水平部１３を抉るようにして揺動させようとする力Ｆ４を下階段部４の中空桁材１０の水平部１２に分散させたりするために利用されるものであるから、それ自体が下階段部４や上階段部５の接続手段および荷重受け手段として機能する従来型の構造のものとは相違し、耐荷重のための強度を確保する必要がないので軽量化やコストの軽減化が容易であり、また、トラス構造体や支柱等に相当する構造物を別途配置して床板３を支える必要がないことから、折り返し部２を支えるトラス構造体や支柱等の付加物によって美観が損なわれるといった不都合も解消され、折り返し部２の下のスペースの有効利用も実現することができる。
【００７８】
なお、下階段部４の中空桁材１０における傾斜部１４の下端部と床面４４との接続部分を支点として中空桁材１０の傾斜部１４を図７中で左右方向に向けて抉るようにして揺動させようとする力Ｆ１はサポートシュー４７に直接的に作用し、また、上階段部５の中空桁材１１における傾斜部１５の上端部と構造材４６（図５参照）との接続部分を支点として中空桁材１１の傾斜部１５を図７中で左右方向に向けて抉るようにして揺動させようとする力Ｆ３もサポートシュー４８に直接的に作用することになるが、傾斜部１４の下端部と床面４４との接続および傾斜部１５の上端部と構造材４６との接続に関しては、床面４４や構造材４６自体が頑強であるので、強度上の問題は生じない。
【００７９】
また、下階段部４のある特定の踏板６に偏った荷重が加わっても、その荷重は連結材５３を介して、下階段部４の桁材１０に取り付けられている全ての踏板６に伝達され分散されるので、踏板６の撓みや、踏板６と桁材１０との接合部（より具体的には、踏板６と踏板受材８との接合部および踏板受材８と桁材１０との接合部ならびに踏板受材８それ自体）における応力集中を効果的に抑制することができる。例えば、図８においてＰ１の位置に荷重が作用した場合では、各踏板６の右側に取り付けられた連結材５３を介して荷重の伝達および分散が行われることになる。また、図８中で踏板６の左側に偏った荷重が作用した場合には、各踏板６の左側に取り付けられた連結材５３を介して荷重の伝達および分散が行われる。
【００８０】
上階段部５の何れかの踏板７の偏った位置に荷重が作用した場合も上記と同様であり、その荷重は連結材６４を介して、上階段部５の連結材１１に取り付けられている全ての踏板７に伝達され分散されるので、偏った荷重による踏板７の撓みや、踏板７と桁材１１との接合部における応力集中を効果的に抑制することができる。
【００８１】
従って、下階段部４において高さ方向に隣り合う踏板６と踏み板６との間に設けられる蹴込板６３や上階段部５において高さ方向に隣り合う踏板７と踏み板７との間に設けられる蹴込板６５を強度保持のための手段として利用する必要はなく、蹴込板６３，６５の材質として様々な素材を利用することができ、例えば、前述したように、光の有効利用を図るために、アクリル板等からなる透明あるいは半透明の板材を利用して蹴込板６３，６５を構成することも可能となり、階段デザインの設計自由度が大幅に改善される。
【００８２】
また、下階段部４の踏板６や上階段部５の踏板７の強度自体は既に確保された状態にあるので、下階段部４や上階段部５に手摺を配備する場合であっても、手摺の強度自体は人体等の脱落を防止できれば十分であり、特に、手摺のデザインの設計自由度が著しく改善されるといったメリットがある。
【００８３】
次に、図９および図１０を参照して折り返し部２を構成する床板３に段差を設けた他の一実施形態の折返し階段６８の構成について簡単に説明する。
【００８４】
図９は本発明を適用した他の一実施形態の折返し階段６８の構成について簡略化して示した分解斜視図である。
【００８５】
この折返し階段６８は、建築物の上階Ｕｓと下階Ｄｓの間に折り返し部２を備えた折返し階段であり、その主要部は、下階Ｄｓと折り返し部２とを連絡する下階段部４と、折り返し部２と上階Ｕｓとを連絡する上階段部５、および、下階段部４の中空桁材１０における水平部１２と上階段部５の中空桁材１１における水平部１３を跨ぐように設置されて折り返し部２を形成する床板３によって構成される。
【００８６】
このうち下階段部４と上階段部５の構成に関しては図１〜図８を参照して説明した前述の折返し階段１の場合と同様であるので、図１で用いたものと同じ符号を図９中に記載するにとどめ、詳細な説明は省略する。
【００８７】
この実施形態の折返し階段６８は折り返し部２を構成する床板３に段差を備えていることから、特に、上階Ｕｓと下階Ｄｓの間の垂直離間距離が大きな場合、つまり、下階Ｄｓの天井が高い場合等に好適である。
【００８８】
図１０は図９に示される床板３の構造を示した断面図である。この床板３は、下部階段側の床板材３ａと上部階段側の床板材３ｂ、および、床板材３ａと床板材３と３ｂを連絡する蹴込板３ｃによって一体的に構成されている。図１０に示されるように、床板材３ａ，蹴込板３ｃ，床板材３ｂからなる床板３は、上部階段側の床板材３ｂの左端部の下面側を前後に貫通する角溝６９に蹴込板３ｃの上縁部を嵌合させて床板材３ｂの角溝６９に蹴込板３ｃの上縁部を接着剤で固着すると共に、蹴込板３ｃの下端部の左側面を前後に貫通する角溝７０に下部階段側の床板材３ａの右端部を嵌合させて蹴込板３ｃの角溝７０に床板材３ａの右端部を接着剤および木ネジ７１で固着することによって、強固に一体化されている。
【００８９】
下階段部４の中空桁材１０における水平部１２と上階段部５の中空桁材１１における水平部１３を用いて床板３を支持する点に関しては図１〜図８を参照して説明した折返し階段１の場合と同様であるが、図９および図１０に示した実施形態では床板３を構成する床板材３ａと床板材３ｂとの間に図１０に示す通りの高低差があるので、この高低差に応じ、下階段部４における中空桁材１０の水平部１２よりも上階段部５における中空桁材１１の水平部１３を高い位置で建築物の壁面に取り付ける必要がある。
【００９０】
このため、建築物の壁面にサポートシュー３０，３０を取り付けるための受梁材２９は、図１０に示すように、床板材３ａの部分を支えるための下部側受梁材２９ａ、および、床板材３ｂを支えるための上部側受梁材２９ｂと、下部側受梁材２９ａの上面高さと上部側受梁材２９ｂの上面高さとの差分を床板材３ａ，３ｂ間の段差分に合わせるためのスペーサ２９ｃによって構成され、下部側受梁材２９ａ，スペーサ２９ｃ，上部側受梁材２９ｂがボルト７２，７２によって一体的に固定されている。
【００９１】
この受梁材２９は、図９に示されるように、建築物の壁面内に固設された構造材２８，２８に対して上下方向に位置をずらせて取り付けられた取付金具３１，３１を介して建築物の壁面に取り付けられ、更に、図１０に示されるように、受梁材２９の一部である下部側受梁材２９ａにボルト３５を介して取り付けられたサポートシュー３０と受梁材２９の一部である上部側受梁材２９ｂにボルト３５を介して取り付けられたサポートシュー３０を介して、下階段部４の中空桁材１０における水平部１２の先端部、および、上階段部５の中空桁材１１における水平部１３の先端部が建築物の壁面に接続されるようになっている。
【００９２】
折返し階段６８の主要部である下階段部４および上階段部５の構成に関しては図１〜図８を参照して説明した前述の折返し階段１の場合と全く同様であるので、前述した実施形態と同様に、建築物の壁面自体が頑強でなくても中桁構造の階段を利用して部品点数の削減や施工の簡素化および建て付けのコストの低減化や作業所要時間の短縮化を容易に実現することができる。また、トラス構造体や支柱等に相当する構造物を別途配置して床板３を支える必要がないことから、折り返し部２を支えるトラス構造体や支柱等の付加物によって美観が損なわれるといった不都合が解消され、折り返し部２の下のスペースの有効利用を実現することができ、更には、下階段部４において高さ方向に隣り合う踏板６と踏み板６との間に設けられた連結材５３や上階段部５において高さ方向に隣り合う踏板７と踏み板７との間に設けられた連結材６４によって踏板６，７の左右方向に偏って作用する荷重が他の踏板６，７に分散され踏板６，７の撓みが抑制されるので、蹴込板６３，６５の材質として様々な素材を利用することができ、また、手摺のデザインの設計自由度も改善されるといった効果を奏する。
【図面の簡単な説明】
【００９３】
【図１】本発明を適用した一実施形態の折返し階段の構成について簡略化して示した分解斜視図である。
【図２】同実施形態の折返し階段における下階段部の中空桁材の構成について示した図で、図２（ａ）は中空桁材における水平部と傾斜部との接合状態について示した平面図、図２（ｂ）は中空桁材における水平部と傾斜部との接合状態について示した左側面図である。
【図３】同実施形態の折返し階段における上階段部の中空桁材の構成について示した図で、図３（ａ）は中空桁材における水平部と傾斜部との接合状態について示した左側面図、図３（ｂ）は中空桁材における水平部と傾斜部との接合状態について示した断面図である。
【図４】同実施形態の折返し階段における下階段部の中空桁材の傾斜部と下階との接続状態について示した左側面図である。
【図５】同実施形態の折返し階段における上階段部の中空桁材の傾斜部と上階との接続状態について示した左側面図である。
【図６】同実施形態の折返し階段における連結材の構造を示した図で、図６（ａ）は階段の上り方向の手前側から連結材を示した正面図、図６（ｂ）は其の右側面図、また、図６（ｃ）は其の平面図である。
【図７】同実施形態の折返し階段における下階段部の中空桁材，踏板受材，踏板、および、上階段部の中空桁材，踏板受材，踏板、ならびに、折り返し部を形成する床板を取り出して全体的な接続状態を示した斜視図である。
【図８】同実施形態の折返し階段における下階段部の踏板，連結材，蹴込板、および、上階段部の踏板，連結材，蹴込板、ならびに、折り返し部を形成する床板を取り出して全体的な接続状態を示した斜視図である。
【図９】本発明を適用した他の一実施形態の折返し階段の構成について簡略化して示した分解斜視図である。
【図１０】同実施形態の床板の取付構造を示した断面図である。
【符号の説明】
【００９４】
１  折返し階段
２  折り返し部
３  床板
３ａ  下部階段側の床板材
３ｂ  上部階段側の床板材
３ｃ  蹴込板
４  下階段部
５  上階段部
６，７  踏板
８，９  踏板受材
８ａ，９ａ  天面
８ｂ，９ｂ  下面
１０，１１  中空桁材
１２，１３水平部
１２ａ，１３ａ  突き合わせ面
１４，１５  傾斜部
１４ａ，１５ａ  突き合わせ面
１６，１７  接続材
１８，１９，２０，２１，２２，２３，２４，２５  ボルト
２６，２７  カバー部材
２８  壁面内に固設された構造材
２９  受梁材
２９ａ  下部側受梁材
２９ｂ  上部側受梁材
２９ｃ  スペーサ
３０  サポートシュー
３１  取付金具
３２  ボルト
３３  舌片状突起
３４  ベース部
３５，３６，３７  ボルト
３８  ブラケット
３９，４０  木ネジ
４１  ボルト
４２  ブラケット
４３  木ネジ
４４，４５  床面
４６  構造材
４６ａ  手前側の面
４７，４８  サポートシュー
４９，５０，５１，５２  ボルト
５３  連結材
５４  本体部
５５  上部取付片
５６  下部取付片
５７，５８  ネジ穴
５９，６０  木ネジ
６１，６２  角溝
６３  蹴込板
６４  連結材
６５  蹴込板
６６  上部取付片
６７  下部取付片
６８  折返し階段
６９，７０  角溝
７１  木ネジ
７２  ボルト
Ｕｓ  上階
Ｄｓ  下階
Ｐ１  荷重の作用する位置
Ｃ１  傾斜部の中心軸
Ｃ２  下階段部の中空桁材の両端部を結んだ仮想線
Ｃ３  傾斜部の中心軸
Ｃ４  上階段部の中空桁材の両端部を結んだ仮想線
Ｍ１  傾斜部の中心軸の周りの回転力
Ｍ２  中空桁材の両端部を結ぶ仮想線の周りで中空桁材全体を回転させようとする回転力
Ｍ３  傾斜部の中心軸の周りの回転力
Ｍ４  中空桁材の両端部を結ぶ仮想線の周りで中空桁材全体を回転させようとする回転力
Ｆ１  中空桁材の傾斜部を左右方向に揺動させようとする力
Ｆ２  中空桁材の水平部を左右方向に揺動させようとする力
Ｆ３  中空桁材の傾斜部を左右方向に揺動させようとする力
Ｆ４  中空桁材の水平部を左右方向に揺動させようとする力
【図１】
2009293263.tif 000003
【図２】
2009293263.tif 000004
【図３】
2009293263.tif 000005
【図４】
2009293263.tif 000006
【図５】
2009293263.tif 000007
【図６】
2009293263.tif 000008
【図７】
2009293263.tif 000009
【図８】
2009293263.tif 000010
【図９】
2009293263.tif 000011
【図１０】
2009293263.tif 000012